(57)【要約】【課題】搬送する原稿の厚みに起因するエラーの発生を抑制しつつ、画像バスにおける単位時間当たりのデータ転送量の増加に起因するエラーの発生を抑制することができる画像処理装置を提供する。【解決手段】ＭＦＰ１００は、原稿の厚みに基づいて原稿の搬送速度を設定する。また、ＭＦＰ１００は、原稿の厚みに基づいて第１の周波数を決定し、画像処理が当該画像処理と異なる他の画像処理と並列で実行されるか否かに基づいて第２の周波数を決定し、第１の周波数及び第２の周波数のうち低い周波数を画像転送クロックの周波数として用いる。【選択図】図１３
2020072340.tif 000002
【特許請求の範囲】
【請求項１】
原稿を読み取る読み取り手段と、読み取って得られた画像データに画像処理を施す画像処理手段とを備える画像処理装置であって、
前記原稿の厚みに基づいて前記原稿の搬送速度を制御する搬送速度制御手段と、
前記読み取り手段から前記画像処理手段へ前記原稿の画像データを転送するための画像転送クロックの周波数を制御するクロック制御手段と、
前記画像処理が当該画像処理と異なる他の画像処理と並列で実行されるか否かに基づいて第１の周波数を決定する第１の決定手段と、
前記原稿の厚みに基づいて第２の周波数を決定する第２の決定手段とを備え、
前記クロック制御手段は、前記第１の周波数及び前記第２の周波数のうち低い周波数を前記画像転送クロックの周波数として用いることを特徴とする画像処理装置。
【請求項２】
前記第１の決定手段は、前記画像処理と並列で実行する前記他の画像処理の数に基づいて複数の候補の中から前記第２の周波数を決定することを特徴とする請求項１記載の画像処理装置。
【請求項３】
前記画像データを一時的に記憶する記憶手段、及び前記画像データを印刷する印刷手段を更に備え、
前記画像処理手段は、前記読み取り手段、前記記憶手段、及び前記印刷手段と１つの画像バスを介してデータ転送を行うことを特徴とする請求項１又は２記載の画像処理装置。
【請求項４】
原稿を読み取る読み取り手段と、読み取って得られた画像データに画像処理を施す画像処理手段とを備える画像処理装置の制御方法であって、
前記原稿の厚みに基づいて前記原稿の搬送速度を制御する搬送速度制御ステップと、
前記読み取り手段から前記画像処理手段へ前記原稿の画像データを転送するための画像転送クロックの周波数を制御するクロック制御ステップと、
前記画像処理が当該画像処理と異なる他の画像処理と並列で実行されるか否かに基づいて第１の周波数を決定する第１の決定ステップと
前記原稿の厚みに基づいて第２の周波数を決定する第２の決定ステップとを有し、
前記クロック制御ステップは、前記第１の周波数及び前記第２の周波数のうち低い周波数を前記画像転送クロックの周波数として用いることを特徴とする画像処理装置の制御方法。
【請求項５】
原稿を読み取る読み取り手段と、読み取って得られた画像データに画像処理を施す画像処理手段とを備える画像処理装置の制御方法をコンピュータに実行させるプログラムであって、
前記画像処理装置の制御方法は、
前記原稿の厚みに基づいて前記原稿の搬送速度を制御する搬送速度制御ステップと、
前記読み取り手段から前記画像処理手段へ前記原稿の画像データを転送するための画像転送クロックの周波数を制御するクロック制御ステップと、
前記画像処理が当該画像処理と異なる他の画像処理と並列で実行されるか否かに基づいて第１の周波数を決定する第１の決定ステップと
前記原稿の厚みに基づいて第２の周波数を決定する第２の決定ステップとを有し、
前記クロック制御ステップは、前記第１の周波数及び前記第２の周波数のうち低い周波数を前記画像転送クロックの周波数として用いることを特徴とするプログラム。
【発明の詳細な説明】
【技術分野】
【０００１】
本発明は、画像処理装置及びその制御方法、並びにプログラムに関する。
【背景技術】
【０００２】
スキャン機能やプリント機能等の複数の機能を備える画像処理装置としてのＭＦＰが知られている。ＭＦＰでは、スキャナ部が、ユーザに設定された読み取り速度で原稿を読み取り、読み取った原稿の画像データを所定の周波数の画像転送クロックに従って画像処理部に転送する。画像処理部は、受信した画像データに対して画像処理を施し、処理済みの画像データをＭＦＰのメインメモリに一時的に記憶させ、さらに、処理済みの画像データに対して別の画像処理を施す際にメインメモリから処理済みの画像データを取得する。ＭＦＰでは、スキャナ部、画像処理部、及びメインメモリが１つの画像バスを介してデータ転送を行う。近年では、高速読み取りを実現可能なＭＦＰが開発され、高速読み取りのスキャンジョブを実行した場合、通常読み取りのスキャンジョブを実行した場合と比べて、画像バスにおける単位時間当たりのデータ転送量が増える。また、ＭＦＰでは、プリント部が印刷を行うためのＰＤＬデータに関する画像処理等も画像処理部で実行され、プリント部及び画像処理部が上記画像バスを介してデータ転送を行う。
【０００３】
ＭＦＰでは、高速読み取りのスキャンジョブを実行中に他のジョブ、例えば、プリントジョブの実行が指示され、高速読み取りのスキャンジョブがプリントジョブと並列で実行される場合がある。この場合、ＭＦＰでは、画像バスを介してスキャナ部、プリント部、画像処理部、及びメインメモリが並列でデータ転送を行うため、画像バスにおける単位時間当たりのデータ転送量が膨大となり、画像バスにおける転送可能上限値を超えてしまう。その結果、画像バスを介したデータ転送が実施できなくなり、高速読み取りのスキャンジョブ及びプリントジョブの実行が停止するというエラーが生じる。これに対応して、従来では、例えば、ＭＦＰは、画像バスにおける単位時間当たりのデータ転送量を制御する（特許文献１参照）。
【０００４】
一方、ＭＦＰは、搬送する原稿の厚みに起因するジャムの発生を防止するために、原稿の厚みに応じて原稿の搬送に関する制御を行う（特許文献２参照）。
【先行技術文献】
【特許文献】
【０００５】
【特許文献１】特開２０１３−１５３５２１号公報
【特許文献２】特開平１１−３０１８８１号公報
【発明の概要】
【発明が解決しようとする課題】
【０００６】
しかしながら、従来のＭＦＰでは、画像バスにおける単位時間当たりのデータ転送量の増加に起因するエラーの発生条件と搬送する原稿の厚みに起因するエラーの発生条件とが重なった場合、これら２つのエラーの両方を防止することができない。例えば、搬送する原稿の厚みに起因するエラーの発生を防止する制御として原稿の搬送速度を低速にした場合、スキャナ部が単位時間当たりに読み取るデータ量が減少するので、画像バスにおける単位時間当たりのデータ転送量も抑制される。このような制御によって、搬送する原稿の厚みに起因するエラーの発生を抑制することができる。しかしながら、他のジョブを並列で実行できる程画像バスにおける単位時間当たりのデータ転送量が抑制されないと、画像バスにおける単位時間当たりのデータ転送量の増加に起因するエラーの発生を抑制することができない。
【０００７】
本発明の目的は、搬送する原稿の厚みに起因するエラーの発生を抑制しつつ、画像バスにおける単位時間当たりのデータ転送量の増加に起因するエラーの発生を抑制することができる画像処理装置及びその制御方法、並びにプログラムを提供することにある。
【課題を解決するための手段】
【０００８】
上記目的を達成するために、本発明の画像処理装置は、原稿を読み取る読み取り手段と、読み取って得られた画像データに画像処理を施す画像処理手段とを備える画像処理装置であって、前記原稿の厚みに基づいて前記原稿の搬送速度を制御する搬送速度制御手段と、前記読み取り手段から前記画像処理手段へ前記原稿の画像データを転送するための画像転送クロックの周波数を制御するクロック制御手段と、前記画像処理が当該画像処理と異なる他の画像処理と並列で実行されるか否かに基づいて第１の周波数を決定する第１の決定手段と、前記原稿の厚みに基づいて第２の周波数を決定する第２の決定手段とを備え、前記クロック制御手段は、前記第１の周波数及び前記第２の周波数のうち低い周波数を前記画像転送クロックの周波数として用いることを特徴とする。
【発明の効果】
【０００９】
本発明によれば、搬送する原稿の厚みに起因するエラーの発生を抑制しつつ、画像バスにおける単位時間当たりのデータ転送量の増加に起因するエラーの発生を抑制することができる。
【図面の簡単な説明】
【００１０】
【図１】本発明の実施の形態に係る画像処理装置としてのＭＦＰの構成を概略的に示すブロック図である。
【図２】図１のスキャナ部におけるＤＦ部の内部構造を示す側面図である。
【図３】図１のスキャナ部におけるスキャナ制御ユニットの構成を概略的に示すブロック図である。
【図４】図２のＣＩＳによる画像の読み出し制御を行うためのクロックを説明するための図である。
【図５】図１のＭＦＰによって実行される画像の読み取り動作に関するシーケンス図である。
【図６】図３のＲＡＭから制御部への画像データの転送を説明するための図である。
【図７】図１の画像処理部の構成を説明するためのブロック図である。
【図８】図１のＭＦＰによって実行されるコピージョブ実行処理の手順を示すフローチャートである。
【図９】図１の操作部に表示される原稿種別選択画面の一例を示す図である。
【図１０】図８のステップＳ８０２の原稿種別通知処理の手順を示すフローチャートである。
【図１１】図８のステップＳ８０３のスキャン制御処理の手順を示すフローチャートである。
【図１２】図１のスキャナ部による並列転送モードの画像データの転送を説明するための図である。
【図１３】図３のスキャナ制御ユニットによって実行されるＰＬＬ設定処理の手順を示すフローチャートである。
【図１４】図１のＭＦＰによって管理される管理テーブルの一例を示す図である。
【図１５】図８のステップＳ８０４のプリント制御処理の手順を示すフローチャートである。
【図１６】図１のスキャナ部による両面同時読みを説明するための図である。
【図１７】図１のスキャナ部の転送モードを説明するための図である。
【図１８】本発明の第２の実施の形態に係るＭＦＰによって実行されるスキャン制御処理の手順を示すフローチャートである。
【図１９】各転送モードにおける並列実行可能な画像処理の組み合わせの一例を示す図である。
【図２０】図１のＭＦＰによって管理される管理テーブルの一例を示す図である。
【図２１】本発明の第２の実施の形態に係るＭＦＰによって実行されるプリント制御処理の手順を示すフローチャートである。
【図２２】図３のＲＡＭを使い切った場合の原稿の読み取り制御を説明するための図である。
【発明を実施するための形態】
【００１１】
以下、本発明の実施の形態について図面を参照しながら詳述する。まず、本発明の第１の実施の形態に係る画像処理装置について説明する。
【００１２】
図１は、本発明の実施の形態に係る画像処理装置としてのＭＦＰ１００の構成を概略的に示すブロック図である。
【００１３】
図１において、ＭＦＰ１００は、制御部１０１、蓄積メモリ１０５、操作部１０９、スキャナ部１１４、及びプリンタ部１１５を備える。制御部１０１は、蓄積メモリ１０５、操作部１０９、スキャナ部１１４、及びプリンタ部１１５と接続されている。また、制御部１０１は、ＣＰＵ１０２、ＲＯＭ１０３、ＲＡＭ１０４、ＬＡＮＩ／Ｆ部１０６、回線Ｉ／Ｆ部１０７、操作部制御部１０８、ＩＯ制御部１１０、及び画像処理部１１３を備える。ＣＰＵ１０２、ＲＯＭ１０３、ＲＡＭ１０４、ＬＡＮＩ／Ｆ部１０６、回線Ｉ／Ｆ部１０７、操作部制御部１０８、及びＩＯ制御部１１０は、システムバス１１１を介して互いに接続されている。画像処理部１１３は、画像バス１１２を介してＩＯ制御部１１０と接続されている。
【００１４】
制御部１０１は、ＭＦＰ１００の全体を統括的に制御する。ＣＰＵ１０２は、ＲＯＭ１０３や蓄積メモリ１０５に格納されたプログラムを実行してＭＦＰ１００のソフトウェアモジュール（不図示）に各処理を実行させる。ＲＯＭ１０３は、システムのブートプログラム等を記憶する。ＲＡＭ１０４は、ＣＰＵ１０２がＭＦＰ１００のソフトウェアモジュール（不図示）を実行するためのシステムワークメモリエリアである。また、ＲＡＭ１０４は、画像データを処理する際に当該画像データを一時的に記憶するための画像メモリである。蓄積メモリ１０５は、ＨＤＤ（ハードディスク）やＳＳＤ（ＳｏｌｉｄＳｔａｔｅＤｒｉｖｅ）で構成され、内部ストレージとして使用される。蓄積メモリ１０５には、例えば、ＭＦＰ１００の各機能を実現するためのシステムソフトウェアモジュールや、ＲＡＭ１０４から転送された画像データが記憶される。
【００１５】
ＬＡＮＩ／Ｆ部１０６は、ＭＦＰ１００をＬＡＮに接続するためのＩ／Ｆである。ＬＡＮＩ／Ｆ部１０６は、ＬＡＮに接続された外部装置とデータ通信を行う。回線Ｉ／Ｆ部１０７は、ＭＦＰ１００をＷＡＮに接続するためのＩ／Ｆである。回線Ｉ／Ｆ部１０７は、ＷＡＮに接続された外部装置とデータ通信を行う。操作部制御部１０８は、制御部１０１及び操作部１０９のＩ／Ｆである。例えば、操作部制御部１０８は、ＶＧＡ信号を操作部１０９に出力し、該ＶＧＡ信号に対応する画像を操作部１０９に表示させる。また、操作部制御部１０８は、ユーザが操作部１０９で入力した情報をＣＰＵ１０２に出力する。操作部１０９は、ＬＣＤタッチパネル等で構成される。操作部１０９は、操作部制御部１０８から出力されるＶＧＡ信号を解釈して該ＶＧＡ信号に対応する画像を表示する。
【００１６】
ＩＯ制御部１１０は、システムバス１１１と画像バス１１２とを接続し、システムバス１１１のデータ構造を変換するバスブリッジである。画像バス１１２は、ＰＣＩバス、ＩＥＥＥ１３９４、及びＰＣＩＥｘ等の汎用バスで構成され、画像データを高速で転送する。画像バス１１２には、ＩＯ制御部１１０及び画像処理部１１３の他に、スキャナ部１１４及びプリンタ部１１５が接続されている。画像バス１１２は、画像データの同期系／非同期系の変換を行う。画像処理部１１３は、後述する図７に示すように、複数のＡＳＩＣで構成される。画像処理部１１３は、画像データに対し、解像度変換処理、圧縮処理、伸張処理、及び２値多値変換処理等の画像処理を施す。スキャナ部１１４は、図２のＤＦ（ＤｏｃｕｍｅｎｔＦｅｅｄｅｒ）部２００及び図３のスキャナ制御ユニット３００を備える。スキャナ部１１４は、原稿を読み取って画像データを生成する。プリンタ部１１５は、スキャナ部１１４が生成した画像データを印刷する。
【００１７】
図２は、図１のスキャナ部１１４におけるＤＦ部２００の内部構造を示す側面図である。なお、図２では、理解を容易にするために内部の構成が透過して示される。
【００１８】
ＤＦ部２００には、原稿を載置するための原稿トレイ２０１が設けられている。原稿トレイ２０１には、ドキュメントセンサ２０２、２つの原稿ガイド２０３、及び原稿サイズ検知センサ２０４が設けられている。ドキュメントセンサ２０２は、原稿が原稿トレイ２０１に載置されているか否かを検知する。２つの原稿ガイド２０３は、原稿の搬送方向に直交する方向に沿って対向するように配置されている。原稿トレイ２０１に載置された原稿は、ピックアップローラ２０５、搬送ローラ２０７、及び排紙ローラ２０８の３つのローラによって搬送される。ピックアップローラ２０５は、原稿トレイ２０１に載置された原稿をＤＦ部２００の原稿搬送路（不図示）へ搬送する。ピックアップローラ２０５によって搬送された原稿は、原稿通過検知センサ２０６によって検出される。ＤＦ部２００では、原稿通過検知センサ２０６が検出した時間に基づいて１枚目の原稿が通過を終了したか否かが判別される。搬送ローラ２０７は、ピックアップローラ２０５によって原稿搬送路に搬送された原稿を排紙ローラ２０８へ搬送する。排紙ローラ２０８は、搬送ローラ２０７によって搬送された原稿を排紙トレイ２０９に搬送する。なお、ピックアップローラ２０５、搬送ローラ２０７、及び排紙ローラ２０８は、ステッピングモータ（不図示）によって駆動される。
【００１９】
上記原稿搬送路に搬送された原稿は、当該原稿搬送路に設けられる透明なＤＦ読み取り窓２１０を通過した際にセンサユニット２１１によって読み取られる。センサユニット２１１は、ＣＩＳ２１２を備え、上記原稿搬送路に搬送された原稿をＤＦ読み取り窓２１０を通して読み取り可能な位置に配置される。センサユニット２１１は、副走査方向に自由に移動可能である。例えば、センサユニット２１１は、搬送ローラ２０７から排紙ローラ２０８へ搬送された原稿の搬送方向と同じ方向に移動する。なお、ＤＦ読み取り窓２１０は、副走査方向に或る程度の長さを有する。ＣＩＳ２１２は、その長さの範囲内で任意の位置に移動し、移動した位置で原稿を読み取ることができる。ＣＩＳ２１２は、複数の光電変換素子、例えば、ＣＣＤ素子で構成される。ＣＩＳ２１２では、ＣＣＤ素子が一列に配列されている。ＣＩＳ２１２は、各ＣＣＤ素子で読み取った画素データを蓄積するためのＦＩＦＯ等を制御するための制御信号を生成する。
【００２０】
図３は、図１のスキャナ部１１４におけるスキャナ制御ユニット３００の構成を概略的に示すブロック図である。
【００２１】
図３において、スキャナ制御ユニット３００は、ＣＰＵ３０１、ＲＯＭ３０２、ＣＬＫ制御部３０３（クロック制御手段）、モータコントローラ３０４、ＣＣＤ制御部３０６、及びＲＡＭ３０７を備える。
【００２２】
スキャナ制御ユニット３００は、ＲＯＭ３０２に記憶されたスキャナ部制御アプリケーションプログラム（不図示）をＣＰＵ３０１に実行させることによってスキャナ部１１４の動作を制御する。スキャナ部制御アプリケーションプログラムは、スキャナ制御ユニット３００を制御するスキャナ部制御アプリケーション（不図示）を起動するためのプログラムである。なお、本実施の形態では、ＣＰＵ３０１がスキャナ部制御アプリケーションプログラムを実行する場合について説明するが、スキャナ部制御アプリケーションプログラムを実行するデバイスはＣＰＵ３０１に限られない。例えば、制御部１０１のＣＰＵ１０２がスキャナ部制御アプリケーションプログラムを実行することによってスキャナ部１１４の動作を制御しても良い。
【００２３】
ＣＬＫ制御部３０３は、スキャナ制御ユニット３００を構成する各デバイスにクロックを提供する。クロックは、後述する画像転送クロック等を含む。ＣＬＫ制御部３０３は、クロックを生成する水晶振動子（不図示）及びＰＬＬ（不図示）で構成される。ＰＬＬは、水晶振動子が生成したクロックを逓倍又は分周する。ユーザからスキャンの実行指示を受け付けると、スキャナ部１１４では、ＣＬＫ制御部３０３が、モータコントローラ３０４、ＣＣＤ制御部３０６、及びＲＡＭ３０７にクロックを出力する。例えば、モータコントローラ３０４は、ＣＬＫ制御部３０３から受けたクロックに基づいてローラ３０５を回転させるモータ（不図示）の制御クロックを生成する。スキャンの実行指示には、カラー／モノクロ区別や解像度等の情報が含まれる。スキャナ部制御アプリケーションは、指示の内容に基づいてＣＬＫ制御部３０３のＰＬＬの設定を変更する。ＣＬＫ制御部３０３は、後述する図１４（ａ）の管理テーブル１４０１や図１４（ｂ）の管理テーブル１４０２に基づいて、出力するクロックの周波数に関するＰＬＬの設定を行う。これにより、スキャナ部１１４の読み取り速度や原稿の搬送速度が制御される。ＲＡＭ３０７は、ＣＩＳ２１２が読み取った原稿の画像データを蓄積する。ＲＡＭ３０７の容量は、Ａ４サイズで４枚分の画像データのみを記憶可能な程度である。
【００２４】
スキャナ制御ユニット３００は、図４（ａ）の読み出しクロック４０１及び図４（ｂ）の転送イネーブルクロック４０２に基づいてＣＩＳ２１２による画像の読み出し制御を行う。読み出しクロック４０１は、画像データを構成する画素データを各ＣＣＤ素子から読み出すためのクロック信号である。転送イネーブルクロック４０２は、画像転送クロックである。画像転送クロックは、読み出した画素データを制御部１０１へ転送するか否かを制御するためのクロック信号である。スキャナ制御ユニット３００は、図４（ａ）の水平同期信号４０３における一のパルスが出力されてから次のパルスが出力されるまでの間であって読み出しクロック４０１が立ち上がった際に、各ＣＣＤ素子から画素データを読み出す。水平同期信号４０３は、ＣＣＤ１ラインの取り込み開始を制御する信号である。各ＣＣＤ素子から読み出された画素データは、ＲＡＭ３０７に蓄積される。
【００２５】
さらに、スキャナ制御ユニット３００は、スキャナ部１１４に設けられるピックアップローラ２０５を駆動するモータ制御ＰＷＭ信号４０４を生成する。スキャナ制御ユニット３００において、モータ制御ＰＷＭ信号４０４を構成する１パルス４０５が出力されると、ピックアップローラ２０５が１ライン分回転して用紙を搬送する。スキャナ制御ユニット３００は、図４（ａ）に示すように、モータ制御ＰＷＭ信号４０４を構成するパルス４０５を出力し、さらに振動が安定するまでの所定の時間を経過した後に、水平同期信号４０３を構成するパルス４０６を出力するように制御する。ＭＦＰ１００では、高速読み取りを行う場合、水平同期信号４０３及びモータ制御ＰＷＭ信号４０４の周期を短くする。これにより、ピックアップローラ２０５の回転速度が相対的に上がり、原稿搬送が早くなり、原稿１枚当たりの読み取り速度が上がる。また、原稿の読み取り速度に合わせて、ＣＣＤ素子からの読み出しを短時間で行うために、スキャナ制御ユニット３００は、読み出しクロック４０１の周波数を上げる。スキャナ制御ユニット３００は、読み出しクロック４０１の周期に合わせてＲＡＭ３０７へ画素データを蓄積する。また、スキャナ制御ユニット３００は、読み出しクロック４０１の周波数の制御に対応して転送イネーブルクロック４０２の周波数を上げ、ＲＡＭ３０７から制御部１０１への画素データの転送を短時間で行う。
【００２６】
図５は、図１のＭＦＰ１００によって実行される画像の読み取り動作に関するシーケンス図である。図５の読み取り動作は、スキャナ部１１４を制御する上記スキャナ部制御アプリケーション及び制御部１０１を制御するジョブ制御アプリケーション（不図示）によって実行される。
【００２７】
図５において、スキャナ部１１４は、制御部１０１から読み取り開始要求を受け付けると（ステップＳ５０１）、読み出しクロック４０１に基づいてＮページ目の原稿を読み取る（ステップＳ５０２）。各ＣＣＤ素子によって読み取られた複数の画素データで構成されるＮページ目の画像データは、ＲＡＭ３０７に記憶される。Ｎページ目の原稿の読み取りを完了すると、スキャナ部１１４は、次のページ（Ｎ＋１ページ目）の原稿を読み取る（ステップＳ５０３）。
【００２８】
一方、スキャナ部１１４は、制御部１０１からＮページ目の画像データの転送要求を受け付けると（ステップＳ５０４）、転送イネーブルクロック４０２に基づいてＮページ目の画像データを制御部１０１へ転送する（ステップＳ５０５）。制御部１０１への転送が完了した画像データは、ＲＡＭ３０７から削除される。なお、ＭＦＰ１００では、図６に示すように、ＲＡＭ３０７に４ページを超える画像データを記憶することができないので、ＲＡＭ３０７の記憶領域を使い切る前に、ＲＡＭ３０７に記憶された画像データが制御部１０１へ転送されるように制御される。本実施の形態では、制御部１０１が読み取り開始要求を発行してからスキャナ部１１４が読み取りを開始するまでの間に転送クロックの周波数が変更された場合に、次に示す構成であることとして説明する。すなわち、ＭＦＰ１００は、制御部１０１及びスキャナ部１１４の間でリセット処理を実施する必要がない構成であることとして説明する。しかしながら、ＭＦＰ１００の構成は、これに限られない。例えば、上述した場合に、ＭＦＰ１００が制御部１０１及びスキャナ部１１４の間でリセット処理を実行しても良い。リセット処理を実行する際に、制御部１０１及びスキャナ部１１４の間で速度変更通知が送受信される。例えば、スキャナ部１１４が、制御部１０１に対して速度変更通知を送信すると（ステップＳ５０６）、制御部１０１は、切り替え制御時間ｔｄの時間を経過した後に、画像データ転送を再開する。切り替え制御時間ｔｄは、各制御アプリケーションの間で制御プロトコルとして予め定義される、若しくは各制御部の間で制御情報として送受信される。
【００２９】
図７は、図１の画像処理部１１３の構成を説明するためのブロック図である。図７において、画像処理部１１３は、画像データに対し、解像度変換、圧縮伸張、２値多値変換等の異なる画像処理を施す複数のＡＳＩＣ７０１〜７０５を備える。各ＡＳＩＣ７０１〜７０５は、ＲＡＭ１０４を共有し、画像バス１１２を介してデータの入出力を行う。画像処理部１１３は、各ＡＳＩＣ７０１〜７０５により複数の画像処理を並列で実行可能である。例えば、ＡＳＩＣ７０１によるスキャン画像処理が、ＡＳＩＣ７０２による画像処理と並列で実行される。このとき、各画像処理において画像バス１１２を介してデータ転送が行われるので、画像バス１１２が混み合う。さらに、スキャン画像処理において、スキャナ部１１４が高速読み取りを行った場合、画像バス１１２における単位時間当たりのデータ転送量が膨大となり、画像バス１１２の転送可能上限値を超えてしまう。画像バスのデータ転送量が転送可能上限値を超えると、画像バス１１２を介したデータ転送が実施できなくなり、各画像処理の実行が停止するというエラーが生じる。これに対応して、従来では、例えば、スキャナ部１１４の読み取り速度を落として、画像バス１１２における単位時間当たりのデータ転送量を制御していた。
【００３０】
一方、ＭＦＰ１００では、搬送される原稿の厚みに応じてジャムや積載不良が発生する。例えば、搬送される原稿が薄紙である場合、原稿自体の重量が軽いために排紙トレイ２０９に排紙された原稿が落ち切るまでに時間が掛かり、原稿の後端が後続の原稿の先端と衝突してジャムや積載不良が発生する。このようなジャムや積載不良を解消するために、従来では、原稿の厚みに応じて原稿の搬送速度を予め設定されていた通常速度より低速に制御していた。
【００３１】
しかしながら、従来のＭＦＰでは、画像バス１１２における単位時間当たりのデータ転送量の増加に起因するエラーの発生条件と搬送する原稿の厚みに起因するエラーの発生条件とが重なった場合、これら２つのエラーの両方を防止することができない。例えば、搬送する原稿の厚みに起因するエラーの発生を防止する制御として原稿の搬送速度を低速にした場合、スキャナ部１１４が単位時間当たりに読み取るデータ量が減少するので、画像バス１１２における単位時間当たりのデータ転送量も抑制される。それによって、搬送する原稿の厚みに起因するエラーの発生を抑制できる。しかしながら、上述した制御により、他のジョブを並列で実行できる程画像バス１１２における単位時間当たりのデータ転送量が抑制されないと、画像バスにおける単位時間当たりのデータ転送量の増加に起因するエラーの発生を抑制することができない。
【００３２】
これに対応して、本実施の形態では、原稿トレイ２０１に置かれた原稿の厚みに基づいて原稿の搬送速度が設定される。また、本実施の形態では、画像処理が当該画像処理と異なる他の画像処理と並列で実行されるか否かに基づいて第１の周波数が決定され、後述する原稿厚み情報に基づいて第２の周波数が決定される。第１の周波数及び第２の周波数のうち低い周波数が転送イネーブルクロック４０２の周波数として用いられる。
【００３３】
図８は、図１のＭＦＰ１００によって実行されるコピージョブ実行処理の手順を示すフローチャートである。図８の処理は、ＣＰＵ１０２がＲＯＭ１０３等に記憶されたプログラムを実行することによって行われる。
【００３４】
図８において、まず、ＣＰＵ１０２は、操作部１０９においてコピージョブの実行指示を受け付けると（ステップＳ８０１）、図９の原稿種別選択画面９００を操作部１０９に表示する。原稿種別選択画面９００は、原稿トレイ２０１に置かれた原稿の厚みの種別に関する情報をユーザに設定させるための画面である。なお、以下では、原稿トレイ２０１に置かれた原稿の厚みの種別に関する情報を原稿厚み情報とする。原稿種別選択画面９００は、ＯＫボタン９０１を備える。また、原稿種別選択画面９００は、原稿厚み情報に対応する複数のボタン、例えば、普通紙ボタン９０２、厚紙ボタン９０３、及薄紙９０４を備える。なお、本実施の形態では、原稿種別選択画面９００で選択可能な原稿厚み情報の選択肢が、普通紙、厚紙、及薄紙の３種である場合について説明するが、当該選択肢は普通紙、厚紙、及薄紙の３種に限られず、別の選択肢を含んでいても良い。原稿種別選択画面９００において、普通紙ボタン９０２、厚紙ボタン９０３、及薄紙９０４の何れか１つが選択された状態でユーザがＯＫボタン９０１を選択すると、ＣＰＵ１０２は、後述する図１０の原稿種別通知処理を実行する（ステップＳ８０２）。次いで、ＣＰＵ１０２は、後述する図１１のスキャン制御処理を実行する（ステップＳ８０３）。また、ＣＰＵ１０２は、ステップＳ８０３と並列で後述する図１５のプリント制御処理を実行する（ステップＳ８０４）。ステップＳ８０１で受け付けたコピージョブが複数ページの原稿をコピーするジョブである場合、ＣＰＵ１０２は、１ページ毎にステップＳ８０３，Ｓ８０４の処理を行う。次いで、ＣＰＵ１０２は、ＤＦ部２００に原稿が残っているか否かを判別する（ステップＳ８０５）。
【００３５】
ステップＳ８０５の判別の結果、ＤＦ部２００に原稿が残っているとき、ＣＰＵ１０２は、ステップＳ８０３の処理に戻る。ステップＳ８０５の判別の結果、ＤＦ部２００に原稿が残っていないとき、ＣＰＵ１０２は、全ページの印刷を完了したか否かを判別する（ステップＳ８０６）。
【００３６】
ステップＳ８０６の判別の結果、何れかのページの印刷を完了しないとき、ＣＰＵ１０２は、ステップＳ８０４の処理に戻る。ステップＳ８０６の判別の結果、全ページの印刷を完了したとき、ＣＰＵ１０２は、本処理を終了する。
【００３７】
図１０は、図８のステップＳ８０２の原稿種別通知処理の手順を示すフローチャートである。
【００３８】
図１０において、ＣＰＵ１０２は、原稿種別選択画面９００で設定された原稿厚み情報を取得する（ステップＳ１００１）。次いで、ＣＰＵ１０２は、取得した原稿厚み情報をスキャナ部１１４に通知する（ステップＳ１００２）。次いで、ＣＰＵ１０２は、スキャナ部１１４に原稿の搬送速度の設定を指示する（ステップＳ１００３）（搬送速度制御手段）。この指示を受けたスキャナ部１１４は、通知された原稿厚み情報及び後述する図１４（ｂ）の管理テーブル１４０２に基づいて原稿の搬送速度を設定する。次いで、ＣＰＵ１０２は、本処理を終了し、ステップＳ８０３の処理を行う。
【００３９】
図１１は、図８のステップＳ８０３のスキャン制御処理の手順を示すフローチャートである。
【００４０】
図１１において、ＣＰＵ１０２は、操作部１０９で設定されたコピージョブの原稿読み取り設定を取得する（ステップＳ１１０１）。次いで、ＣＰＵ１０２は、画像処理部１１３のＡＳＩＣ７０１〜７０５の中から、取得した原稿読み取り設定に対応するスキャン画像処理を実行するためのＡＳＩＣを決定し、当該ＡＳＩＣに原稿読み取り設定を設定する（ステップＳ１１０２）。次いで、ＣＰＵ１０２は、決定したＡＳＩＣ以外のＡＳＩＣによる他の画像処理が実行中又は待機中であるか否かを判別する（ステップＳ１１０３）。他の画像処理は、例えば、Ｒｉｐ処理、Ｓｅｎｄ処理、及びＦａｘ処理である。Ｓｅｎｄ処理では、蓄積メモリ１０５に保存された画像データがＪＰＥＧやＰＤＦ等のデータ形式に変換される。Ｆａｘ処理では、画像データがＦａｘ送信を行うための画像フォーマットに変換される。
【００４１】
ステップＳ１１０３の判別の結果、他の画像処理が実行中及び待機中の何れでもないとき、ＣＰＵ１０２は、スキャナ部１１４に単独転送モードで動作するように通知する（ステップＳ１１０４）。通知を受けたスキャナ部１１４は、後述する図１３のＰＬＬ設定処理を実行し、例えば、単独転送モードに対応するＰＬＬの設定を行う。単独転送モードでは、ＣＬＫ制御部３０３が転送イネーブルクロック４０２の周波数を所定の周波数に設定し、スキャナ部１１４は、当該転送イネーブルクロック４０２で画像データを制御部１０１に転送する。次いで、ＣＰＵ１０２は、後述するステップＳ１１０６の処理を行う。
【００４２】
ステップＳ１１０３の判別の結果、他の画像処理が実行中又は待機中であるとき、ＣＰＵ１０２は、スキャナ部１１４に並列転送モードで動作するように通知する（ステップＳ１１０５）。通知を受けたスキャナ部１１４は、後述する図１３のＰＬＬ設定処理を実行し、例えば、並列転送モードに対応するＰＬＬの設定を行う。並列転送モードでは、ＣＬＫ制御部３０３が転送イネーブルクロック４０２の周波数を予め設定された所定の周波数より低い周波数に設定し、スキャナ部１１４は、当該転送イネーブルクロック４０２で画像データを制御部１０１に転送する。これにより、スキャン画像処理において、図１２に示すように、単位時間当たりの画像データのパルス信号の数が減り、画像バス１１２を経由した単位時間当たりのデータ転送量が抑制される。次いで、ＣＰＵ１０２は、スキャナ部１１４から画像データを受信し（ステップＳ１１０６）、受信した画像データに対して、原稿読み取り設定が設定されたＡＳＩＣによるスキャン画像処理を施す（ステップＳ１１０７）。次いで、ＣＰＵ１０２は、スキャン画像処理を施した画像データをＲＡＭ１０４に保存し（ステップＳ１１０８）、本処理を終了する。
【００４３】
図１３は、図３のスキャナ制御ユニット３００によって実行されるＰＬＬ設定処理の手順を示すフローチャートである。図１３の処理は、上記スキャナ部制御アプリケーションによって実行される。図１３の処理は、ステップＳ１１０４又はＳ１１０５において制御部１０１から送信された通知をスキャナ部１１４が受信した際に実行される。
【００４４】
図１３において、まず、スキャナ制御ユニット３００は、制御部１０１から受信した通知に基づいて転送モードを特定する（ステップＳ１３０１）。次いで、スキャナ制御ユニット３００は、上記原稿厚み情報を取得する（ステップＳ１３０２）。次いで、スキャナ制御ユニット３００は、ステップＳ１３０１で特定した転送モードに対応する画像転送クロックＣＬＫ１の周波数を図１４（ａ）の管理テーブル１４０１に基づいて決定する（ステップＳ１３０３）。管理テーブル１４０１には、搬送制御クロックや画像転送クロック等の複数の種別のクロックの周波数が転送モード毎に設定されている。次いで、スキャナ制御ユニット３００は、ステップＳ１３０２で取得した原稿厚み情報に対応する画像転送クロックＣＬＫ２の周波数を図１４（ｂ）の管理テーブル１４０２に基づいて決定する（ステップＳ１３０４）。管理テーブル１４０２には、搬送制御クロックや画像転送クロック等の複数の種別のクロックの周波数が原稿の厚み毎に設定されている。次いで、スキャナ制御ユニット３００は、画像転送クロックＣＬＫ２の周波数が画像転送クロックＣＬＫ１の周波数より大きいか否かを判別する（ステップＳ１３０５）。
【００４５】
ステップＳ１３０５の判別の結果、画像転送クロックＣＬＫ２の周波数が画像転送クロックＣＬＫ１の周波数より大きいとき、スキャナ制御ユニット３００は、画像転送クロックＣＬＫ１の周波数をＰＬＬに設定する（ステップＳ１３０６）。これにより、転送イネーブルクロック４０２の周波数が画像転送クロックＣＬＫ１の周波数に調整される。次いで、スキャナ制御ユニット３００は、本処理を終了する。
【００４６】
ステップＳ１３０５の判別の結果、画像転送クロックＣＬＫ２の周波数が画像転送クロックＣＬＫ１の周波数より小さいとき、スキャナ制御ユニット３００は、画像転送クロックＣＬＫ２の周波数をＰＬＬに設定する（ステップＳ１３０７）。これにより、転送イネーブルクロック４０２の周波数が画像転送クロックＣＬＫ２の周波数に調整される。すなわち、本実施の形態では、転送モードに基づいて決定された画像転送クロックＣＬＫ１及び原稿厚み情報に基づいて決定された画像転送クロックＣＬＫ２のうち、周波数の小さいクロックが転送イネーブルクロック４０２の周波数として用いられる。次いで、スキャナ制御ユニット３００は、本処理を終了する。
【００４７】
図１５は、図８のステップＳ８０４のプリント制御処理の手順を示すフローチャートである。
【００４８】
図１５において、ＣＰＵ１０２は、操作部１０９で設定されたコピージョブの印刷設定を取得する（ステップＳ１５０１）。次いで、ＣＰＵ１０２は、画像処理部１１３のＡＳＩＣ７０１〜７０５の中から、取得した印刷設定に対応するプリント画像処理を実行するためのＡＳＩＣを決定し、当該ＡＳＩＣに印刷設定を設定する（ステップＳ１５０２）。プリント画像処理は、例えば、上述したＲｉｐ処理を含む。次いで、ＣＰＵ１０２は、スキャン画像処理を実行中であるか否かを判別する（ステップＳ１５０３）。
【００４９】
ステップＳ１５０３の判別の結果、スキャン画像処理を実行中でないとき、ＣＰＵ１０２は、ＲＡＭ１０４に保存された画像データに対し、印刷設定が設定されたＡＳＩＣによるプリント画像処理を施す（ステップＳ１５０４）。次いで、ＣＰＵ１０２は、プリント画像処理を施した画像データをプリンタ部１１５へ出力し（ステップＳ１５０５）、本処理を終了する。
【００５０】
ステップＳ１５０３の判別の結果、スキャン画像処理を実行中であるとき、ＣＰＵ１０２はスキャナ部１１４が並列転送モードで動作している又はスキャン画像処理が終了したかを判別する（ステップＳ１５０６）。
【００５１】
ステップＳ１５０６の判別の結果、スキャナ部１１４が並列転送モードで動作しておらず、且つスキャン画像処理が終了していないとき、ＣＰＵ１０２は、図１１のスキャン制御処理を実行する（ステップＳ１５０７）。ステップＳ１５０７の処理を終了すると、ＣＰＵ１０２は、ステップＳ１５０６の処理に戻る。
【００５２】
ステップＳ１５０６の判別の結果、スキャナ部１１４が並列転送モードで動作している又はスキャン画像処理が終了したとき、ＣＰＵ１０２は、ステップＳ１５０４以降の処理を行う。
【００５３】
上述した実施の形態によれば、原稿厚み情報に基づいて原稿の搬送速度が設定される。これにより、原稿の厚みに適した原稿の搬送速度を設定することができ、もって、搬送される原稿の厚みに起因するエラーの発生を防止することができる。また、上述した実施の形態では、一の画像処理が当該一の画像処理と異なる他の画像処理と並列で実行されるか否かに基づいて第１の周波数が決定され、原稿厚み情報に基づいて第２の周波数が決定される。第１の周波数及び第２の周波数のうち低い周波数が転送イネーブルクロック４０２の周波数として用いられる。これにより、一の画像処理による画像バスにおける単位時間当たりのデータ転送量を抑えることができ、もって、他の画像処理による画像バスのデータ転送を並列で実現することができる。その結果、画像バスにおける単位時間当たりのデータ転送量の増加に起因するエラーの発生を防止することができる。すなわち、上述した実施の形態では、搬送される原稿の厚みに起因するエラーの発生を防止しつつ、画像バスにおける単位時間当たりのデータ転送量の増加に起因するエラーの発生を防止することができる。
【００５４】
また、上述した実施の形態では、画像処理部１１３は、スキャナ部１１４、ＲＡＭ１０４、及びプリンタ部１１５と１つの画像バス１１２を介してデータ転送を行う。これにより、このような構成において、搬送される原稿の厚みに起因するエラーの発生を防止しつつ、画像バスにおける単位時間当たりのデータ転送量の増加に起因するエラーの発生を防止することができる。
【００５５】
以上、本発明について、上述した実施の形態を用いて説明したが、本発明は上述した実施の形態に限定されるものではない。例えば、ステップＳ８０２の処理を、ジョブの開始時以外に、読み取りページ毎に実行しても良い。
【００５６】
また、上述した実施の形態では、画像転送クロックの周波数を決めるＰＬＬの設定をジョブの開始時以外に、読み取りページ毎に変更しても良い。
【００５７】
上述した実施の形態では、ステップＳ１３０３及びステップＳ１３０４で異なる管理テーブルの中から画像転送クロックの周波数を決定していたが、これに限られない。例えば、ステップＳ１３０３及びステップＳ１３０４の何れにおいても図１４（ｃ）の管理テーブル１４０３の中から画像転送クロックの周波数を決定しても良い。管理テーブル１４０３には、管理テーブル１４０１の転送モードの種別及び管理テーブル１４０２の原稿の厚みの種別の組み合わせに関する各クロックの周波数が設定されている。
【００５８】
次に、本発明の第２の実施の形態に係る画像処理装置について説明する。本実施の形態は、その構成や作用が上述した第１の実施の形態と基本的に同じであり、スキャナ部１１４が、後述する高速転送モード、通常転送モード、及び低速転送モードを備える点で上述した第１の実施の形態と異なる。したがって、重複した構成、作用については説明を省略し、以下に異なる構成、作用についての説明を行う。
【００５９】
スキャナ部１１４は、両面同時読み機能を備える。スキャナ部１１４は、１回の原稿搬送で、図１６（ａ）に示すように、原稿の表面１６０１及び裏面１６０２の両面を読み取る。また、スキャナ部１１４は、読み取った表面及び裏面の２枚分の画像データ１６０３、１６０４を１枚の原稿搬送時間の間に制御部１０１へ転送する。換言すると、スキャナ部１１４は、１枚の原稿搬送時間の半分程度の時間で１面分の画像データを制御部１０１へ転送する。また、スキャナ部１１４は、片面読みを行う場合にも、両面同時読みと処理を統一して、図１６（ｂ）に示すように、１枚の原稿搬送時間の半分程度の時間で１面分の画像データを制御部１０１へ転送する。
【００６０】
本実施の形態では、片面読みを行う際のスキャナ部１１４の転送モードとして、図１７に示すように、高速転送モード、通常転送モード、及び低速転送モードの何れか１つを設定可能である。高速転送モードでは、スキャナ部１１４は、１枚の原稿搬送時間の半分程度の時間で１面分の画像データを転送可能な周波数の転送イネーブルクロック４０２で画像データを転送する。通常転送モードでは、スキャナ部１１４は、１枚の原稿搬送時間の間に１面分の画像データを転送可能な周波数の転送イネーブルクロック４０２で画像データを転送する。低速転送モードでは、スキャナ部１１４は、１枚の原稿搬送時間より若干長い所定の時間に１面分の画像データを転送可能な周波数の転送イネーブルクロック４０２で画像データを転送する。
【００６１】
図１８は、本発明の第２の実施の形態に係るＭＦＰ１００によって実行されるスキャン制御処理の手順を示すフローチャートである。図１８の処理は、受け付けたジョブが片面読みのスキャン画像処理を含むジョブであることを前提とする。
【００６２】
図１８において、ＣＰＵ１０２は、ステップＳ１１０１、Ｓ１１０２の処理を行う。次いで、ＣＰＵ１０２は、スキャナ部１１４を高速転送モードで動作可能であるか否かを判別する（ステップＳ１８０１）。例えば、図１９（ａ）のように、上記スキャン画像処理を含めた並列で実行する画像処理の数が２つ以下である場合、スキャナ部１１４が高速転送モードで動作しても、画像バス１１２のデータ転送量が転送可能上限値を超えることはない。このような場合、ステップＳ１８０１では、ＣＰＵ１０２は、スキャナ部１１４を高速転送モードで動作可能であると判別する。一方、上記スキャン画像処理を含めた並列で実行する画像処理の数が３つ以上である場合、スキャナ部１１４が高速転送モードで動作した際に画像バス１１２のデータ転送量が転送可能上限値を超える可能性がある。このような場合、ステップＳ１８０１では、ＣＰＵ１０２は、スキャナ部１１４を高速転送モードで動作可能でないと判別する。
【００６３】
ステップＳ１８０１の判別の結果、スキャナ部１１４を高速転送モードで動作可能であるとき、ＣＰＵ１０２は、スキャナ部１１４に高速転送モードで動作するように通知する（ステップＳ１８０２）。この通知を受けたスキャナ部１１４は、図２０（ａ）の管理テーブル２００１及び図２０（ｂ）の管理テーブル２００２に基づいて図１３のＰＬＬ設定処理を実行する。管理テーブル２００１には、搬送制御クロックや画像転送クロック等の複数の種別のクロックの周波数が転送モード毎に設定されている。管理テーブル２００２には、搬送制御クロックや画像転送クロック等の複数の種別のクロックの周波数が原稿の厚み毎に設定されている。スキャナ制御ユニット３００は、転送イネーブルクロック４０２の周波数が、例えば、高速転送モードに対応する周波数になるようにＰＬＬの設定を行う。スキャナ部１１４は、当該転送イネーブルクロック４０２で画像データを制御部１０１へ転送する。次いで、ＣＰＵ１０２は、ステップＳ１１０６以降の処理を行う。
【００６４】
ステップＳ１８０１の判別の結果、スキャナ部１１４を高速転送モードで動作可能でないとき、ＣＰＵ１０２は、スキャナ部１１４を通常転送モードで動作可能であるか否かを判別する（ステップＳ１８０３）。例えば、図１９（ｂ）のように、上記スキャン画像処理を含めた並列で実行する画像処理の数が３つ以下である場合、スキャナ部１１４が通常転送モードで動作しても、画像バス１１２のデータ転送量が転送可能上限値を超えることはない。このような場合、ステップＳ１８０３では、ＣＰＵ１０２は、スキャナ部１１４を通常転送モードで動作可能であると判別する。一方、図１９（ｃ）のように、上記スキャン画像処理を含めた並列で実行する画像処理の数が４つ以上である場合、スキャナ部１１４が通常転送モードで動作した際に画像バス１１２のデータ転送量が転送可能上限値を超える可能性が極めて高い。このような場合、ステップＳ１８０３では、ＣＰＵ１０２は、スキャナ部１１４を通常転送モードで動作可能でないと判別する。
【００６５】
ステップＳ１８０３の判別の結果、スキャナ部１１４を通常転送モードで動作可能であるとき、ＣＰＵ１０２は、スキャナ部１１４に通常転送モードで動作するように通知する（ステップＳ１８０４）。この通知を受けたスキャナ部１１４は、管理テーブル２００１及び管理テーブル２００２に基づいてＰＬＬ設定処理を実行する。スキャナ制御ユニット３００は、上述したように、転送イネーブルクロック４０２の周波数が、第１の周波数及び第２の周波数のうち低い周波数になるようにＰＬＬの設定を行う。スキャナ部１１４は、当該転送イネーブルクロック４０２で画像データを制御部１０１へ転送する。次いで、ＣＰＵ１０２は、ステップＳ１１０６以降の処理を行う。
【００６６】
ステップＳ１８０３の判別の結果、スキャナ部１１４を通常転送モードで動作可能でないとき、ＣＰＵ１０２は、スキャナ部１１４に低速転送モードで動作するように通知する（ステップＳ１８０５）。この通知を受けたスキャナ部１１４のスキャナ制御ユニット３００は、管理テーブル２００１及び管理テーブル２００２に基づいてＰＬＬ設定処理を実行する。次いで、ＣＰＵ１０２は、ステップＳ１１０６以降の処理を行う。
【００６７】
図２１は、本発明の第２の実施の形態に係るＭＦＰ１００によって実行されるプリント制御処理の手順を示すフローチャートである。
【００６８】
図２１において、ＣＰＵ１０２は、ステップＳ１５０１〜Ｓ１５０３の処理を行う。ステップＳ１５０３の判別の結果、スキャン画像処理を実行中でないとき、ＣＰＵ１０２は、ステップＳ１５０４以降の処理を行う。
【００６９】
ステップＳ１５０３の判別の結果、スキャン画像処理を実行中であるとき、ＣＰＵ１０２は、スキャン画像処理以外に実行中又は待機中の画像処理の数が１つ以上であるか否かを判別する（ステップＳ２１０１）。
【００７０】
ステップＳ２１０１の判別の結果、スキャン画像処理以外に実行中又は待機中の画像処理の数が１つ以上でないとき、ＣＰＵ１０２は、ステップＳ１５０４以降の処理を行う。ステップＳ２１０１の判別の結果、スキャン画像処理以外に実行中又は待機中の画像処理の数が１つ以上であるとき、ＣＰＵ１０２は、スキャン画像処理以外に実行中又は待機中の画像処理の数が２つ以上であるか否かを判別する（ステップＳ２１０２）。
【００７１】
ステップＳ２１０２の判別の結果、スキャン画像処理以外に実行中又は待機中の画像処理の数が２つ以上でないとき、ＣＰＵ１０２は、ステップＳ２１０３の処理を行う。ステップＳ２１０３では、ＣＰＵ１０２は、スキャナ部１１４が通常転送モードで動作している又はスキャン画像処理が終了したかを判別する。
【００７２】
ステップＳ２１０３の判別の結果、スキャナ部１１４が通常転送モードで動作している又はスキャン画像処理が終了したとき、ＣＰＵ１０２は、ステップＳ１５０４以降の処理を行う。ステップＳ２１０３の判別の結果、スキャナ部１１４が通常転送モードで動作しておらず、且つスキャン画像処理が終了しないとき、ＣＰＵ１０２は、図１８のスキャン制御処理を実行する（ステップＳ２１０４）。ステップＳ２１０４の処理を終了すると、ＣＰＵ１０２は、ステップＳ２１０３の処理に戻る。
【００７３】
ステップＳ２１０２の判別の結果、スキャン画像処理以外に実行中又は待機中の画像処理の数が２つ以上であるとき、ＣＰＵ１０２は、ステップＳ２１０５の処理を行う。ステップＳ２１０５では、ＣＰＵ１０２は、スキャナ部１１４が低速転送モードで動作している又はスキャン画像処理が終了したかを判別する。
【００７４】
ステップＳ２１０５の判別の結果、スキャナ部１１４が低速転送モードで動作している又はスキャン画像処理が終了したとき、ＣＰＵ１０２は、ステップＳ１５０４以降の処理を行う。ステップＳ２１０５の判別の結果、スキャナ部１１４が低速転送モードで動作しておらず、且つスキャン画像処理が終了しないとき、ＣＰＵ１０２は、図１８のスキャン制御処理を実行する（ステップＳ２１０６）。ステップＳ２１０６の処理を終了すると、ＣＰＵ１０２は、ステップＳ２１０５の処理に戻る。
【００７５】
上述した実施の形態では、画像処理と並列で実行する他の画像処理の数に基づいて複数の候補の中から第２の周波数が決定される。これにより、画像処理と並列で実行する他の画像処理の数に応じて画像バスにおける単位時間当たりのデータ転送量の増加に起因するエラーの発生を防止可能な適切な周波数を画像転送クロックの周波数の候補として決定することができる。
【００７６】
なお、上述した実施の形態において、低速転送モードでは、１枚の原稿の読み取り時間より１枚の画像データの転送時間が長いため、このまま原稿の読み取りを続けると、スキャナ部１１４のＲＡＭ３０７の記憶領域を使い切ってしまう。ＲＡＭ３０７を使い切った場合、図２２（ａ）及び図２２（ｂ）に示すように、スキャナ部１１４が制御部１０１へ１枚分の画像データの転送を終了し、ＲＡＭ３０７に空き容量が確保されるまで、原稿の読み込みを停止するのが好ましい。若しくは、ＲＡＭ３０７の使用状況を確認し、ＲＡＭ３０７の記憶容量の使い切りの防止を優先して、読み出しクロック４０１を低速転送モードの転送イネーブルクロック４０２より低い周波数に一時的に下げても良い。
【００７７】
本発明は、上述の実施の形態の１以上の機能を実現するプログラムをネットワーク又は記憶媒体を介してシステム又は装置に供給し、該システム又は装置のコンピュータにおける１つ以上のプロセッサがプログラムを読み出して実行する処理でも実現可能である。また、本発明は、１以上の機能を実現する回路（例えば、ＡＳＩＣ）によっても実現可能である。
【符号の説明】
【００７８】
１００  ＭＦＰ
１０２，３０１  ＣＰＵ
１０４  ＲＡＭ
１１３  画像処理部
１１４  スキャナ部
１１５  プリンタ部
３００  スキャナ制御ユニット
３０３  ＣＬＫ制御部
【図１】
2020072340.tif 000003
【図２】
2020072340.tif 000004
【図３】
2020072340.tif 000005
【図４】
2020072340.tif 000006
【図５】
2020072340.tif 000007
【図６】
2020072340.tif 000008
【図７】
2020072340.tif 000009
【図８】
2020072340.tif 000010
【図９】
2020072340.tif 000011
【図１０】
2020072340.tif 000012
【図１１】
2020072340.tif 000013
【図１２】
2020072340.tif 000014
【図１３】
2020072340.tif 000015
【図１４】
2020072340.tif 000016
【図１５】
2020072340.tif 000017
【図１６】
2020072340.tif 000018
【図１７】
2020072340.tif 000019
【図１８】
2020072340.tif 000020
【図１９】
2020072340.tif 000021
【図２０】
2020072340.tif 000022
【図２１】
2020072340.tif 000023
【図２２】
2020072340.tif 000024